(57)【特許請求の範囲】
【請求項１】
第１の周波数及び第２の周波数を含む所定の周波数帯に係る信号に共振するアンテナと、
前記第１の周波数に係る信号の通信品質及び前記第２の周波数に係る信号の通信品質のいずれか一方が所定の通信品質より低い場合には、前記アンテナにより共振される信号の周波数を調整し、前記第１の周波数に係る信号の通信品質及び前記第２の周波数に係る信号の通信品質の両方が前記所定の通信品質より低い場合には、前記アンテナにより共振される信号のゲインを調整する信号処理部と、を有することを特徴とする携帯通信端末。
【請求項２】
前記第１の周波数に係る信号は、前記所定の周波数帯における低域の周波数に係る信号であり、
前記第２の周波数に係る信号は、前記所定の周波数帯における高域の周波数に係る信号である、ことを特徴とする請求項１に記載の携帯通信端末。
【請求項３】
前記第１の周波数に係る信号は、前記アンテナにより受信される信号の周波数帯における低域の周波数に係る信号であり、
前記第２の周波数に係る信号は、前記アンテナにより受信される信号の周波数帯における高域の周波数に係る信号である、ことを特徴とする請求項１に記載の携帯通信端末。
【請求項４】
前記所定の通信品質は、前記第１の周波数に係る信号に対応する第１の通信品質と前記第２の周波数に係る信号に対応する第２の通信品質とにより構成され、
前記第１の通信品質及び前記第２の通信品質は、前記アンテナの前記第１の周波数及び前記第２の周波数に係る共振特性に対応して構成される、ことを特徴とする請求項１乃至請求項３のいずれか一項に記載の携帯通信端末。
【請求項５】
前記アンテナにより送信又は受信される信号を用いたアプリケーションを制御する制御部を有し、
前記信号処理部は、前記制御部により前記アプリケーションが動作された状態において前記第１の周波数に係る信号の通信品質及び前記第２の周波数に係る信号の通信品質のいずれか一方が所定の通信品質より低い場合には、前記アンテナにより共振される信号の周波数を調整し、前記第１の周波数に係る信号の通信品質及び前記第２の周波数に係る信号の通信品質の両方が前記所定の通信品質より低い場合には、前記アンテナにより共振される信号のゲインを調整する、ことを特徴とする請求項１乃至請求項４のいずれか一項に記載の携帯通信端末。
【請求項６】
前記制御部は、前記アプリケーションが動作された状態において前記第１の周波数に係る信号の通信品質及び前記第２の周波数に係る信号の通信品質の両方が前記所定の通信品質より低い場合には、前記アプリケーションの動作を抑制する、ことを特徴とする請求項５に記載の携帯通信端末。
【発明の詳細な説明】
【技術分野】
【０００１】
本発明は、アンテナを有する携帯通信端末に関する。
【背景技術】
【０００２】
昨今の携帯通信端末においては、多機能化が進んでおり、例えば、地上波デジタルテレビ放送（以下、地デジという。）を視聴可能なものが多く登場してきている。地デジは、４７０ＭＨｚ〜７７０ＭＨｚの周波数帯域を、１チャンネルあたり６ＭＨｚとした１３ｃｈ〜６２ｃｈで構成されている。そのため地デジの受信アンテナは、４７０ＭＨｚ〜７７０ＭＨｚの帯域で共振するように設計されている。
【０００３】
また、携帯通信端末で地デジを視聴する際においては、様々な視聴態様（例えば、手持ち等の移動状態や、テーブルや置き台（クレードル）等の固定状態）が考えられる。ここで問題となるのが、視聴状態に起因したアンテナの共振周波数のずれである。アンテナの共振周波数が著しくずれた場合には、テレビ番組を適切に表示することが困難となる。
【０００４】
そこで、このような問題に対応するための技術が種々提案されている（例えば、特許文献１を参照。）。特許文献１には、所定の周波数帯に係る信号に共振するアンテナと、アンテナにより共振される信号であって、所定の周波数帯に含まれる周波数に係る信号の強度を検出する検出部と、検出部により検出された前記信号の強度が所定の強度より小さい場合には、アンテナにより共振される信号の周波数を調整する調整手段と、を有する携帯通信端末が記載されている。特許文献１によれば、チューナブルアンテナのインピーダンスの整合を行なうアンテナ整合回路を備えることで、受信信号のＡＧＣをもとにずれた共振周波数を修正する方法が提案されている。
【特許文献１】特開２００６−９４１５０号公報
【発明の開示】
【発明が解決しようとする課題】
【０００５】
ここで、特許文献１によれば、調整手段が、検出部により所定の周波数帯に含まれる周波数に係る信号の強度に基づいて、共振周波数の調整を実施しているため、共振周波数の調整を行う必要性の低い場合（例えば、信号強度が低くなっているが、共振周波数のずれは生じていない場合）においても、共振周波数のずれであると誤認識してしまい、共振周波数の調整が実施されてしまうおそれがある。
【０００６】
本発明は、共振周波数がずれているか否かを適切に検出し、無駄な共振周波数の調整を行わない携帯通信端末を提供することを目的とする。
【課題を解決するための手段】
【０００７】
（１）本発明に係る携帯通信端末は、上記課題を解決するために、所定の周波数帯に係る信号に共振するアンテナと、前記アンテナにより共振される信号であって、前記所定の周波数帯に含まれる第１の周波数に係る信号の強度と、前記所定の周波数帯に含まれる前記第１の周波数とは異なる第２の周波数に係る信号の強度を検出する検出部と、前記検出部により検出された前記第１の周波数に係る信号及び前記第２の周波数に係る信号のいずれか一方の信号の通信品質が所定の通信品質より低い場合には、前記アンテナにより共振される信号の周波数を調整する調整部と、を有することを特徴とする。
【０００８】
（２）本発明では、（１）の携帯通信端末において、前記第１の周波数に係る信号は、前記所定の周波数帯における低域の周波数に係る信号であり、前記第２の周波数に係る信号は、前記所定の周波数帯における高域の周波数に係る信号である、ことが好ましい。
【０００９】
（３）本発明では、（１）の携帯通信端末において、前記第１の周波数に係る信号は、前記アンテナにより受信される信号の周波数帯における低域の周波数に係る信号であり、前記第２の周波数に係る信号は、前記アンテナにより受信される信号の周波数帯における高域の周波数に係る信号である、ことが好ましい。
【００１０】
（４）本発明では、（１）乃至（３）の携帯通信端末において、前記所定の通信品質は、前記第１の周波数に係る信号に対応する第１の通信品質と前記第２の周波数に係る信号に対応する第２の通信品質とにより構成され、前記第１の通信品質及び前記第２の通信品質は、前記アンテナの前記第１の周波数及び前記第２の周波数に係る共振特性に対応して構成される、ことが好ましい。
【００１１】
（５）本発明では、（１）乃至（４）の携帯通信端末において、前記アンテナにより送信又は受信される信号を用いたアプリケーションを制御する制御部を有し、前記調整部は、前記制御部により前記アプリケーションが動作された状態において前記検出部により検出された前記第１の周波数に係る信号及び前記第２の周波数に係る信号のいずれか一方の通信品質が所定の通信品質より低い場合には、前記アンテナにより共振される信号の周波数を調整する、ことが好ましい。
【００１２】
（６）本発明では、（５）の携帯通信端末において、前記制御部は、前記アプリケーションが動作された状態において前記検出部により検出された前記第１の周波数に係る信号及び前記第２の周波数に係る信号の通信品質が所定の通信品質より低くなったことを検出した場合には、前記アプリケーションの動作を抑制する、ことが好ましい。
【発明の効果】
【００１３】
本発明によれば、共振周波数がずれていることを適切に検出することができ、無駄な共振周波数の調整を行わない携帯通信端末を提供することができる。
【発明を実施するための最良の形態】
【００１４】
以下、本発明の実施の形態について説明する。図１は、本発明に係る携帯通信端末の一例である携帯電話装置１の外観斜視図を示す。なお、以下では、携帯電話装置について説明するが、本発明はこれに限定されるものではなく、テレビ放送を受信できる機能を有するものであれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１５】
携帯電話装置１は、操作部側筐体部２と、表示部側筐体部３と、を備えて構成される。操作部側筐体部２は、表面部１０に、操作キー群１１と、携帯電話装置１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。また、操作部側筐体部２には、放送波の受信角度を調整可能な放送波受信用のアンテナ部１６が配置される。
【００１６】
また、表示部側筐体部３は、表面部２０に、各種情報を表示するためのディスプレイ２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備えて構成されている。
【００１７】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００１８】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００１９】
つぎに、図２の機能ブロック図を参照して、携帯電話装置１の各機能について説明する。携帯電話装置１は、図２に示すように、放送波を受信する放送波受信部１００と、外部の機器（例えば、基地局）と通信を行う通信部１５０と、所定の処理を行う処理部２００と、を備えている。
【００２０】
放送波受信部１００の構成と動作について説明する。放送波受信部１００は、放送波受信用のアンテナ部１６と、アンテナ部１６により受信した信号に対して所定の処理を行う放送波処理部１０１と、を備える。また、アンテナ部１６は、上述したように、電波の受信角度を調整可能なように構成されている。
【００２１】
また、放送波受信部１００は、いわゆるワンセグ放送の受信を行う。ここで、ワンセグ放送について説明する。地上波デジタル放送は、４７０ＭＨｚ〜７７０ＭＨｚのＵＨＦ帯の電波を使用しており、１チャンネル（帯域幅６ＭＨｚ）を１４個に周波数分割し、その中の１３個（セグメント）（帯域幅５．６ＭＨｚ）を放送に使用する。また、残りの１個は、隣のチャンネルとの混信を避けるためのガードバンドとして使用される。また、１３セグメントの内、中央のセグメントがワンセグ放送用に割り当てられる。
【００２２】
また、ワンセグ放送は、４２９ｋＨｚと帯域が狭いが、移動体端末向けということで雑音に強い変調方式（ＱＰＳＫ−ＯＦＤＭ（Ｑｕａｄｒａｔｕｒｅ  Ｐｈａｓｅ  Ｓｈｉｆｔ  Ｋｅｙｉｎｇ（４位相偏移変調）−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（直交周波数分割多重））方式）が採られており、また、１セグメントだけの受信で済むので、アナログ放送の受信に比べて消費電力を抑えることができる。
【００２３】
また、日本の地上波デジタル放送方式ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）は、各階層毎に搬送波の変調方式や誤り訂正の強さを変えることができるという特徴がある。これによって、１セグメントを移動体端末向けに雑音に強い方式で変調して、残りの１２セグメントを固定受信機向けに情報レート優先で変調して高精細で放送するといったことが可能となっている。
【００２４】
つぎに、通信部１５０の構成と動作について説明する。通信部１５０は、所定の通信方式（例えば、ＣＤＭＡ（Ｃｏｄｅ  Ｄｉｖｉｓｉｏｎ  Ｍｕｌｉｔｉｐｌｅ  Ａｃｃｅｓｓ）２０００＿１ｘ等）に基づいて、基地局を介して他の通信端末装置との間で電話による通信やメールによる通信等を行う通信アンテナ部１５１と、送信処理を行う送信回路と受信処理を行う受信回路とにより構成される通信処理部１５２と、を備える。
【００２５】
通信アンテナ部１５１は、所定の使用周波数帯（例えば、８２４ＭＨｚ〜８７５ＭＨｚ）で基地局と通信を行う。また、通信アンテナ部１５１から基地局へ送信される送信信号の周波数帯は、例えば、８２４ＭＨｚであり、基地局から通信アンテナ部１５１に受信される受信信号の周波数帯は、例えば、８７５ＭＨｚである。
【００２６】
通信処理部１５２は、通信アンテナ部１５１によって受信した信号を受信回路により復調処理し、処理後の信号を処理部２００に供給し、また、処理部２００から供給された信号を送信回路により変調処理し、通信アンテナ部１５１を介して基地局に送信する。
【００２７】
また、処理部２００は、操作キー群１１と、マイク１２と、ディスプレイ２１と、音声出力部３１と、所定のデータが格納されているメモリ２０１と、所定の音処理を行う音処理部２０２と、所定の画像処理を行う画像処理部２０３と、被写体を撮像する撮像部２３と、着信音等が出力されるスピーカ２４と、アンテナ部１６の周波数を調整する受信抑制部２０５と、を備えている。
【００２８】
ここで、携帯電話装置１は、ワンセグ放送を視聴中に表示画面が悪化した場合に、アンテナ利得の低下により当該悪化が生じたのか、又は共振周波数のずれが生じたことにより当該悪化が生じたのかを検出し、当該検出に基づいて、後者の場合には共振周波数の調整を実行する機能を有している。
【００２９】
ここで、図３に４７０ＭＨｚ〜７７０ＭＨｚに割り当てられているチャンネルに対応するＶＳＷＲ（Ｖｏｌｔａｇｅ  ｓｔａｎｄｉｎｇ  ｗａｖｅ  ｒａｔｉｏ）の特性曲線を示す。曲線Ａは、通信感度が良好である場合の特性曲線であり、曲線Ｂは、通信感度が低下した場合（弱電界の場合）の特性曲線であり、曲線Ｃは、共振周波数がずれた場合の特性曲線である。ここで、１３チャンネル（ｃｈ）のみを監視の対象にしている場合には、曲線Ｂと曲線Ｃとを比べると、弱電界が原因となって感度劣化したのか、共振周波数がずれたことが原因となって感度劣化したのかが分からない。
【００３０】
そこで、例えば、図４に示すように、１３チャンネル（ｃｈ）と、高域の周波数に相当する６２チャンネル（ｃｈ）とを監視している場合には、曲線Ｂの特性が得られたときには、１３チャンネル（ｃｈ）において感度劣化が生じており、６２チャンネル（ｃｈ）においも感度劣化が生じているため、弱電界が原因となって感度劣化が生じていることを推定することができるので、ゲインを向上する調整等を実行することにより、適式に感度を向上させることができる。
【００３１】
また、曲線Ｃの特性が得られたときは、１３チャンネル（ｃｈ）において感度劣化が生じているものの、６２チャンネル（ｃｈ）において感度劣化が生じていないため、共振周波数のずれが原因となって感度劣化が生じていることを推定することができるので、当該ずれを調整する処理（マッチング処理）を実行することにより、適式に感度を向上させることができる。
【００３２】
このようにして、携帯電話装置１では、少なくとも２つのチャンネルの変化の様子を監視することにより、弱電界により感度劣化が生じたのか、又は共振周波数のずれにより感度劣化が生じたのか判断し、感度劣化の原因に適した調整を行う機能を有している。
【００３３】
ここで、当該機能を発揮するための構成について、図５に示す機能ブロック図を用いて説明する。携帯電話装置１は、放送波処理部１０１の機能として、アンテナ部１６により共振される信号であって、所定の周波数帯に含まれる第１の周波数に係る信号の強度（通信品質）と、所定の周波数帯に含まれる第１の周波数とは異なる第２の周波数に係る信号の強度を検出する検出部１０２と、検出部１０２により検出された第１の周波数に係る信号及び第２の周波数に係る信号のいずれか一方の信号の強度が所定の強度より低い場合には、アンテナ部１６により共振される信号の周波数を調整する調整部１０３と、を有する。
【００３４】
このような構成によれば、第１の周波数に係る信号の強度と、第２の周波数に係る信号の強度を検出し、いずれか一方の強度が所定の強度よりも低くなった場合には、共振周波数がずれていると判断し、当該共振周波数のずれを調整部１０３により調整する。なお、第１の周波数に係る信号の強度と、第２の周波数に係る信号の強度を検出し、両方の強度が所定の強度よりも低くなっている場合には、共振周波数のずれは生じていないと判断し、共振周波数の調整は行わない。
【００３５】
したがって、携帯電話装置１は、調整部１０３が、検出部１０２により第１の周波数及び第２の周波数に係る信号の強度に基づいて、アンテナ部１６の共振周波数のずれを的確に検知することができ、共振周波数の調整を適切に実施することができる。
【００３６】
また、第１の周波数に係る信号は、所定の周波数帯における低域の周波数に係る信号（例えば、所定の周波数帯のうち最も低い周波数に係る信号）であり、第２の周波数に係る信号は、所定の周波数帯における高域の周波数に係る信号（例えば、所定の周波数帯のうち最も高い周波数に係る信号）である、ことが好ましい。なぜなら、所定の周波数帯における低減の周波数及び高域の周波数は、中域の周波数に比べ、アンテナ部１６における特性曲線の勾配が急であることから、共振周波数のずれに対する信号強度の変化が大きく、共振周波数のずれを検知しやすいからである。
【００３７】
このような構成によれば、アンテナ部１６により受信している所定の周波数帯における低域の周波数に係る信号の強度と、当該所定の周波数帯における高域の周波数に係る信号の強度を検出部１０２により検出し、いずれか一方の強度が所定の強度よりも低くなった場合には、共振周波数がずれていると判断する。なお、低域の周波数に係る信号の強度と、高域の周波数に係る信号の強度を検出し、両方の強度が所定の強度よりも低くなっている場合には、共振周波数のずれは生じていないと判断する。
【００３８】
したがって、携帯電話装置１は、アンテナ部１６の共振周波数のずれをより的確に検知することができる。
【００３９】
また、第１の周波数に係る信号は、アンテナ部１６により受信される信号の周波数帯における低域の周波数に係る信号であり、第２の周波数に係る信号は、アンテナ部１６により受信される信号の周波数帯における高域の周波数に係る信号であっても良い。なぜなら、所定の周波数帯における低減の周波数及び高域の周波数は、中域の周波数に比べ、アンテナ部１６における特性曲線の勾配が急であることから、共振周波数のずれに対する信号強度の変化が大きく、共振周波数のずれを検知しやすいからである。
【００４０】
このような構成によれば、アンテナ部１６により受信している所定の周波数帯において、ローチャンネル（例えば、１３ｃｈ（物理チャンネル））に割り当てられている低域の周波数（例えば、４７０ＭＨｚ〜４７６ＭＨｚ）に係る信号の強度と、当該所定の周波数帯において、ハイチャンネル（例えば、６２ｃｈ（物理チャンネル））に割り当てられている高域の周波数（例えば、７６４ＭＨｚ〜７７０ＭＨｚ）に係る信号の強度を検出部１０２により検出し、いずれか一方の強度が所定の強度よりも低くなった場合には、共振周波数がずれていると判断する。なお、低域の周波数に係る信号の強度と、高域の周波数に係る信号の強度を検出し、両方の強度が所定の強度よりも低くなっている場合には、共振周波数のずれは生じていないと判断する。
【００４１】
したがって、携帯電話装置１は、アンテナ部１６の共振周波数のずれをより的確に検知することができる。なお、放送される地域によって、各チャンネルに割り当てられている周波数が異なるため、携帯電話装置１は、自身が所在する場所の情報（例えば、ＧＰＳ（ｇｌｏｂａｌ  ｐｏｓｉｔｉｏｎｉｎｇ  ｓｙｓｔｅｍ）機能を利用して得られる情報）に基づいて、放送される地域を特定し、当該放送される地域において各チャンネルに割り当てられている低域及び高域の周波数に係る信号を利用するような構成であっても良い。
【００４２】
また、所定の強度は、第１の周波数に係る信号と第２の周波数に係る信号とに応じて必ずしも異ならせる必要はないが、第１の周波数に係る信号に対応する第１の強度と第２の周波数に係る信号に対応する第２の強度とにより構成され、また、第１の強度及び第２の強度は、アンテナ部１６の第１の周波数及び第２の周波数に係る共振特性に対応して構成されることが好ましい。
【００４３】
このような構成によれば、通信品質は、各周波数に係る共振特性（中心周波数）に対応しているため、所定の周波数帯においてローチャンネルに割り当てられている周波数帯の中の中心周波数（例えば、４７３ＭＨｚ）に係る信号の強度と、当該所定の周波数帯においてハイチャンネルに割り当てられている周波数帯の中の中心周波数（例えば、７６７ＭＨｚ）に係る信号の強度を検出部１０２により検出し、いずれか一方の強度に対応する所定の強度よりも低くなった場合には、共振周波数がずれていると判断する。なお、両方の強度が、対応する所定の強度よりも低くなっている場合には、共振周波数のずれは生じていないと判断する。
【００４４】
したがって、携帯電話装置１は、ワンセグ放送の受信感度に適応して、アンテナ部１６の共振周波数のずれを的確に検知することができる。
【００４５】
また、携帯電話装置１は、図５に示すように、アンテナ部１６により通信（送信又は受信）される信号を用いたアプリケーション（例えば、ワンセグ放送やＦＭラジオ放送の視聴機能）を制御する制御部１０４を有している。このような構成においては、調整部１０３は、制御部１０４によりアプリケーションが動作された状態において検出部１０２により検出された第１の周波数に係る信号及び第２の周波数に係る信号のいずれか一方の強度が所定の強度より低い場合には、アンテナ部１６により共振される信号の周波数を調整することが好ましい。
【００４６】
このような構成によれば、アプリケーション（例えば、ワンセグ放送を視聴する際に起動されるアプリケーション）が動作している状態において、共振周波数のずれが生じているか否かを判断し、共振周波数がずれている場合には、そのずれを調整する。
【００４７】
したがって、携帯電話装置１は、常時アンテナ部１６の共振周波数のずれを調整するのではなく、共振周波数のずれを調整する必要性の高い特定のアプリケーションが起動している状態において、アンテナ部１６の共振周波数のずれを調整するため、省電力を図ることができると共に、アンテナ部１６の共振周波数のずれに起因する当該特定のアプリケーションにおけるアンテナ部１６による信号の受信感度の低下が抑制され、使用者への当該受信感度の低下に伴う違和感を低減することができる。
【００４８】
また、制御部１０４は、アプリケーションが動作された状態において検出部１０２により検出された第１の周波数に係る信号及び第２の周波数に係る信号の強度が所定の強度より低くなったことを検出した場合には、アプリケーションの動作を抑制することが好ましい。
【００４９】
このような構成によれば、検出部１０２により検出された第１の周波数に係る信号及び第２の周波数に係る信号の強度が所定の強度より低くなった場合には、弱電界になっていると判断し、アンテナ部１６による通信（信号の送信又は受信）ができないおそれが高いため、アプリケーションの動作を抑制（例えば、終了）する。
【００５０】
したがって、携帯電話装置１は、受信ができない状態におけるアプリケーションの動作を抑制するので、省電力を適切に図ることができる。
【００５１】
＜動作の説明＞
ここで、本発明に係る携帯電話装置１により感度劣化の原因を特定し、調整するための動作の流れについて、図６に示すフローチャートを参照しながら説明する。
【００５２】
ステップＳ１において、放送波処理部１０１は、複数のチャンネルの電界強度を取得する。ここで、放送波処理部１０１は、例えば、複数のチャンネルとして、１３チャンネル（ｃｈ）、２０チャンネル（ｃｈ）、５０チャンネル（ｃｈ）及び６２チャンネル（ｃｈ）の各チャンネルの電界強度を取得する。
【００５３】
ステップＳ２において、放送波処理部１０１は、取得した各電界強度を所定の閾値と比較する。
【００５４】
ステップＳ３において、放送波処理部１０１は、ステップＳ２の工程の結果から、閾値をオーバーするチャンネルがあるか否かを判断する。閾値をオーバーするチャンネルがあると判断した場合には（ＹＥＳ）、ステップＳ４に進み、閾値をオーバーするチャンネルがないと判断した場合には（ＮＯ）、ステップＳ５に進む。
【００５５】
ステップＳ４において、放送波処理部１０１は、選択したすべてのチャンネルにおいて閾値がオーバーしているか否かどうかを判断する。すべてのチャンネルにおいて閾値がオーバーしていると判断した場合には（ＹＥＳ）、ステップＳ５に進む。なお、ステップＳ５に進む前に、ゲインの調整を行っても良い。また、すべてのチャンネルにおいて閾値がオーバーチャンネルになっていないと判断した場合には、ステップＳ６に進む。
【００５６】
ステップＳ５において、放送波処理部１０１は、マッチング処理（共振周波数のずれを調整）を実行しない。
【００５７】
ステップＳ６において、放送波処理部１０１は、マッチング処理を実行する。
【００５８】
ステップＳ７において、放送波処理部１０１は、アプリケーションの動作を抑制する。
【００５９】
このようにして本発明では、放送波処理部１０１により第１の周波数及び第２の周波数に係る信号の強度を測定するため、アンテナ部１６の共振周波数のずれを的確に検知することができ、共振周波数の調整を適切に実施することができる。
【００６０】
なお、監視対象となるチャンネルには、上下のバンドエッジチャネル（又はそれに近いチャネル）を含めても良い。本実施例では、４つのチャンネルを監視対象のチャンネルとして説明したが、チャンネルの数に制約はない。しかし、地域によって使用されているチャンネルが異なるため、予め使用チャンネルテーブルを所持おく必要がある。
【００６１】
また、判断材料として受信電解強度以外に、ＡＧＣ（ａｕｔｏ  ｇａｉｎ  ｃｏｎｔｒｏｌ）値、Ｃ／Ｎ（ｃａｒｒｉｅｒ  ｔｏ  ｎｏｉｓｅ  ｒａｔｉｏ）値、ＢＥＲ（ｂｉｔ  ｅｒｒｏｒ  ｒａｔｅ）値等を用いても良い。なお、本実施形態においては、信号の強度に基づいて信号の通信品質を判断していたが、本発明はこれに限らず、例えば、受信電界強度、ＡＧＣ、Ｃ／Ｎ及びＢＥＲ値、並びにこれらの組み合わせ等の通信品質に関する各種のパラメータに基づいて通信品質を判断しても良い。
【００６２】
また、本発明に係る機能を実際に実行するタイミングは、マッチング変更実施の際に適宜行えば良く、例えば、アプリケーションの開始時や視聴チャンネル変更時等が考えられる。
【図面の簡単な説明】
【００６３】
【図１】本発明に係る携帯電話装置の外観を示す図である。
【図２】図１に示す携帯電話装置の機能を示す機能ブロック図である。
【図３】チャンネルとＶＳＷＲの関係を示す特性曲線を示す図である。
【図４】チャンネルとＶＳＷＲの関係を示す特性曲線を示す図である。
【図５】本発明に係る携帯電話装置の放送波処理部の機能を示す機能ブロック図である。
【図６】本発明に係る携帯電話装置１により感度劣化の原因を特定し、調整するための動作の流れについての説明に供するフローチャートである。
【符号の説明】
【００６４】
１  携帯電話装置
１６  アンテナ部
１０１  放送波処理部
１０２  検出部
１０３  調整部
１０４  制御部
【図１】
0005161657.tif 000002
【図２】
0005161657.tif 000003
【図３】
0005161657.tif 000004
【図４】
0005161657.tif 000005
【図５】
0005161657.tif 000006
【図６】
0005161657.tif 000007